(57)【要約】【課題】浴室内であっても安全に使用することのできる芳香発生装置を提供する。【解決手段】浴室側が開口した箱状の芳香発生装置本体３の開口周縁部に、フランジ部４を芳香発生装置本体３の外方に向けて突設させ、芳香発生装置本体３の底面にアロマオイル６を入れる凹所５を設け、凹所５の裏側に加熱部８を設けることにより、加熱部８を芳香発生装置本体３の裏側に配置すると共に、浴室の壁１に設けた開口部２に防水手段を介してフランジ部４を壁１に当接させて芳香発生装置本体３を取付けることができるようにした。【選択図】　　　図１
2004081448.tif 000002
【特許請求の範囲】
【請求項１】
浴室側が開口した箱状の芳香発生装置本体の開口周縁部に、フランジ部を外方に向けて突設させ、芳香発生装置本体の底面にアロマオイルを入れる凹所を設け、凹所の裏側に加熱部を設けると共に、浴室の壁に設けた開口部に防水手段を介してフランジ部を壁に当接させて芳香発生装置本体を取付けることができるようにしたことを特徴とする浴室芳香発生装置。
【請求項２】
加熱部はヒーターとヒーター保持部とから成り、ヒーターはヒーター保持部から着脱自在であることを特徴とする請求項１に記載の浴室芳香発生装置。
【請求項３】
浴室の壁に設けた開口部の下辺に当接する突起片を、加熱部の下面と略面一又は下方となるようにフランジ部から突設させたことを特徴とする請求項１又は２に記載の浴室芳香発生装置。
【発明の詳細な説明】
【０００１】
【発明の属する技術分野】
本発明は、浴室に設置する浴室芳香発生装置に関する。
【０００２】
【従来の技術】
従来より、図４に示す通り、芳香発生装置１０３の上端に皿１０５を設け、この皿１０５にアロマオイル１０６を入れ、皿１０５の下側をろうそく１３１で加熱し、アロマオイル１０６を温めて気化させるというろうそく式の方法がある。また、図５に示す通り芳香発生装置２０３の上部に加熱部２０８を内臓し、この加熱部２０８の上側に皿２０５を設け、この皿２０５にアロマオイル２０６を入れ、加熱部２０８の電源を入れることで、皿２０５を温めて、アロマオイル２０６を気化させるという電気式の方法もある。しかし、ろうそく式の方法では防火上の問題やろうそくに水がかかったりするという問題がある。また、電気式の方法では、加熱部２０８や電気コード２１２に水がかかり漏電を起こす心配がある。
【０００３】
【発明が解決しようとする課題】
本発明は、上記の問題点を解消するためのもので、浴室内であっても安全に使用することのできる芳香発生装置を提供するものである。
【０００４】
【課題を解決するための手段】
本発明の請求項１記載の浴室芳香発生装置は、浴室側が開口した箱状の芳香発生装置本体の開口周縁部に、フランジ部を外方に向けて突設させ、芳香発生装置本体の底面にアロマオイルを入れる凹所を設け、凹所の裏側に加熱部を設けると共に、浴室の壁に設けた開口部に防水手段を介してフランジ部を壁に当接させて芳香発生装置本体を取付けることができるようにしたことを特徴とする。
【０００５】
このものにあっては、加熱部を芳香発生装置本体の裏側に設け、且つ防水手段により浴室側の水分を浴室の外に移動できないようにしているので、加熱部に通電しても通電部分に水がかからず安全にアロマセラピーができるようになる。
【０００６】
本発明の請求項２に記載の浴室芳香発生装置は、請求項１に記載の浴室芳香発生装置において、加熱部はヒーターとヒーター保持部とから成り、ヒーターはヒーター保持部から着脱自在であることを特徴とする。
【０００７】
このものにあっては、加熱部のヒーターの故障や寿命により交換が必要になった時に、ヒーターをヒーター保持部から容易に取り外して交換することができる。
【０００８】
本発明の請求項３に記載の浴室芳香発生装置は、請求項１又は２に記載の浴室芳香発生装置において、浴室の壁に設けた開口部の下辺に当接する突起片を、加熱部の下面と略面一又は下方となるようにフランジ部から突設させたことを特徴とする。
【０００９】
このものにあっては、加熱部を芳香発生装置本体の下端に取り付ける場合、加熱器も芳香発生装置本体と一緒に開口部に挿入する為、加熱器の分だけ開口部を下側に大きくして芳香発生装置本体を壁に取り付けると、芳香発生装置本体と開口部の下辺との間に大きな隙間ができてしまい、芳香発生装置本体のガタツキが生じやすくなるが、フランジ部に突起片を設けて、突起片と開口部の下辺とを当接させることにより、芳香発生装置本体のガタツキを押さえることができる。
【００１０】
【発明の実施の形態】
以後、本発明の実施形態を、図を用いて説明する。
【００１１】
図１乃至図３は、本発明の実施形態に係る浴室芳香発生装置の実施例を示すものである。
【００１２】
芳香発生装置本体３は、浴室側が開口した箱状になっていて、芳香発生装置本体３の開口周辺部にフランジ部４を備えていて、フランジ部４は芳香発生装置本体３の外方に突出している。
【００１３】
フランジ部４には、浴室の反対側に略水平に突設した突起片１０を備え、突起片１０の下面は浴室の壁１に設けた開口部２の下辺に当接している。
【００１４】
防水手段７は、本実施例においては、ゴム製の樹脂でできた薄板のパッキンであって、防水手段７の中央部に芳香発生装置本体３を挿入できる開口部２と同形状の孔１６がある。
【００１５】
芳香発生装置本体３の底面には凹所５があって、この凹所５にアロマオイル６を入れるようになっている。また、凹所５の裏側に加熱部８を設けている。
加熱器８は、厚みの薄いヒーター９とヒーター９の略全面を覆うようにして保持するヒーター保持部１１とから成る。
【００１６】
ヒーター９は加熱器８と類似形状で、浴室の反対側の端部が電気コード１２で接続されている。
【００１７】
ヒーター保持部１１は、凹所５の裏側に設けられており、厚みの薄い長方体で、内部が空洞である。また、ヒーター保持部１１は底面にスリット１５を備え、このスリット１５は底面視略Ｔ字状になっている。
【００１８】
フランジ部４の突起片１０は、加熱部８の下面と略同一又は下方となるようにフランジ部４から略水平に突出している。
【００１９】
浴室の壁１に電源スイッチ１３を設け、電源コード１２でヒーター９と電源スイッチ１３とを結んでいる。また、電源スイッチ１３の浴室側にスイッチ１４を備えている。このスイッチ１４は、浴室の外にあっても良い。
【００２０】
次に、芳香発生装置本体３の取付方法について説明する。
防水手段７の孔１６に、芳香発生装置本体３を挿入し、フランジ部４と防水手段７とを当接させた後、芳香発生装置本体３を浴室の壁１に設けた開口部２に挿通する。ここで、フランジ部４に突起片１０を設けて、突起片１０と開口部２の下辺と当接させることにより、芳香発生装置本体３のガタツキを押さえることができる。次に、フランジ部４にネジ２１を打ち込んで芳香発生装置本体３を壁１に固定する。
【００２１】
次に、ヒーター９の取り外し方法と取付方法について説明する。
まず、取り外し方法は、浴室側から見てＴ字状のスリットの下端に位置する電源コード１２をＴ字状のスリット１５に添わせながら浴室側に引くと共に、ヒーター９の端部を押してヒーター９の下側を凸状に弛ませようにして折り曲げ、ヒーター９の中央部分をスリット１５から加熱部８の下方に突出させる。次に、電源コード１２と接続しているヒーター９の端部が加熱部８の下方に飛び出すまで、ヒーター９の端部を押し続ける。最後に、電源コード１２と共にヒーター９の端部を下側に引いて、ヒーター９を取り出す。尚、ヒーター９の取付方法は、取り外し方法の逆である。
【００２２】
尚、加熱部８の底面にあるスリット１５の形状は、ヒーター９の形状や電源コード１２の接続位置によって異なることがある。
【００２３】
したがって、加熱部８が芳香発生装置本体３の裏側に設け、かつ防水手段７により浴室側の水分を浴室の外に移動できないようにしているので、加熱部８に通電しても通電部分に水がかからず安全にアロマセラピーができるようになる。
【００２４】
また、加熱部８のヒーター９の故障や寿命により交換が必要になった時に、ヒーター９をヒーター保持部１１から容易に取り外して交換することができる。
【００２５】
更に、加熱部８を芳香発生装置本体３の下端に取り付ける場合、加熱器８も芳香発生装置本体３と一緒に開口部２に挿入する為、加熱器８の分だけ開口部２を下側に大きくして芳香発生装置本体３を壁１に取り付けると、芳香発生装置本体３と開口部２の下辺との間に大きな隙間ができてしまい、芳香発生装置本体３のガタツキが生じやすくなるが、フランジ部４に突起片１０を設けて、突起片１０と開口部２の下辺とを当接させることにより、芳香発生装置本体３のガタツキを押さえることができる。
【００２６】
【発明の効果】
以上の説明により、本発明の請求項１記載の浴室芳香発生装置によると、加熱部を芳香発生装置本体の裏側に設け、且つ防水手段により浴室側の水分を浴室の外に移動できないようにしているので、加熱部に通電しても通電部分に水がかからず安全にアロマセラピーができるようになる。
【００２７】
本発明の請求項２に記載の浴室芳香発生装置によると、加熱部のヒーターの故障や寿命により交換が必要になった時に、ヒーターをヒーター保持部から容易に取り外して交換することができる。
【００２８】
本発明の請求項３に記載の浴室芳香発生装置によると、加熱部を芳香発生装置本体の下端に取り付ける場合、加熱器も芳香発生装置本体と一緒に開口部に挿入する為、加熱器の分だけ開口部を下側に大きくして芳香発生装置本体を壁に取り付けると、芳香発生装置本体と開口部の下辺との間に大きな隙間ができてしまい、芳香発生装置本体のガタツキが生じやすくなるが、フランジ部に突起片を設けて、突起片と開口部の下辺とを当接させることにより、芳香発生装置本体のガタツキを押さえることができる。
【図面の簡単な説明】
【図１】本発明の実施形態係る浴室芳香発生装置の実施例を示す縦断面図である。
【図２】同上の浴室芳香発生装置の実施例を示す分解斜視図である。
【図３】同上の加熱器を示す斜視図であって、（ａ）はヒーターを取り外す前の状態、（ｂ）はヒーターを取り外している状態である。
【図４】従来の芳香発生装置であって、第一例を示す斜視図である。
【図５】従来の芳香発生装置であって、第二例を示す斜視図である。
【符号の説明】
１　　　壁
２　　　開口部
３　　　芳香発生装置本体
４　　　フランジ部
５　　　凹所
６　　　アロマオイル
７　　　防水手段
８　　　加熱部
９　　　ヒーター
１０　　突起片
１１　　ヒーター保持部
【図１】
2004081448.tif 000003
【図２】
2004081448.tif 000004
【図３】
2004081448.tif 000005
【図４】
2004081448.tif 000006
【図５】
2004081448.tif 000007